(57)【特許請求の範囲】
【請求項１】
鍵盤部が内部に設けられた楽器ケースと、この楽器ケースにスライド可能に設けられて前記鍵盤部を開閉自在に覆う鍵盤蓋と、この鍵盤蓋の前部をガイドする前側ガイド部と、前記鍵盤蓋の後部をガイドする後側ガイド部とを備えた鍵盤楽器の蓋開閉装置において、
外周に噛合歯を有して前記楽器ケース内の後側上部に回転自在に設けられた回転支持体と、
この回転支持体の前記噛合歯に噛み合う噛合歯を有して前記鍵盤蓋の後部に設けられ、前記鍵盤蓋のスライド動作に連動して前記回転支持体の前記噛合歯にこれと噛み合う前記噛合歯が噛み合って移動する屈曲自在のガイド移動体と、
後端部に前記回転支持体を配置する配置部が設けられ、前記回転支持体を回転させながら、前記鍵盤蓋の後方への移動に伴って前記ガイド移動体を後方に移動させるように前記ガイド移動体をガイドする水平ガイド部と、
前記配置部に設けられ、前記ガイド移動体の後端部を前記回転支持体の外周に沿って屈曲させるための屈曲ガイド部と、
前記配置部から前記楽器ケースの底部に亘って連続的に設けられ、前記屈曲ガイド部によって屈曲させた前記ガイド移動体を下側に移動させるようにガイドする垂直ガイド部と、
を備えていることを特徴とする鍵盤楽器の蓋開閉装置。
【請求項２】
前記回転支持体は、前記楽器ケース内の後側上部に設けられたシャフトに回転自在に取り付けられたピニオンギアであり、前記ガイド移動体は、前記ピニオンギアに噛み合って移動する屈曲可能なラックギアであることを特徴とする請求項１に記載の鍵盤楽器の蓋開閉装置。
【発明の詳細な説明】
【技術分野】
【０００１】
この発明は、電子ピアノなどの鍵盤楽器の蓋開閉装置に関する。
【背景技術】
【０００２】
従来、電子ピアノなどの鍵盤楽器の蓋開閉装置として、特許文献１に記載されているように、鍵盤部が内部に設けられた楽器ケースに、その鍵盤部を開閉自在に覆う鍵盤蓋をスライド可能に設けた構成のものが知られている。
【先行技術文献】
【特許文献】
【０００３】
【特許文献１】特開平０８−２７２３５４号公報
【０００４】
この種の蓋開閉装置は、鍵盤蓋を前蓋と後蓋とに分割し、前蓋と後蓋とをシャフトで相対的に移動可能に連結し、前蓋の前部を前側ガイド部でガイドすると共に、後蓋を後側ガイド部でガイドするように構成されている。この場合、前蓋と後蓋とを連結するシャフトは、前蓋の後端部に設けられている。後蓋は、シャフトによって前蓋に対して移動可能に連結された状態で、前蓋の下側を相対的に移動するように構成されている。
【０００５】
また、シャフトには、楽器ケース内にその中間から後部に亘って設けられた後側ガイド部である第１ラックギアに噛み合って転動する第１ピニオンギアと、後蓋にその前部から後部に亘って設けられた第２ラックギアに噛み合って転動する第２ピニオンギアとが設けられている。この場合、第２ピニオンギアは、第１ピニオンギアの１／２のピッチ円直径比に形成されている。このため、第２ピニオンギアは、前蓋が移動する際に、前蓋の１／２の移動量で後蓋を追従させるように構成されている。
【０００６】
このような蓋開閉装置では、鍵盤蓋を閉じた状態から開く際に、前蓋の前部を持ち上げながら後方に向けて移動させると、前蓋の前部が前側ガイド部によってガイドされながら前蓋が後方に移動すると共に、この前蓋の移動に伴ってシャフトが後方に向けて移動する。このときには、第１ピニオンギアが楽器ケースの第１ラックギアに噛み合って転動すると共に、第２ピニオンギアが後蓋の第２ラックギアに噛み合って転動する。このため、後蓋は、前蓋の１／２の移動量で前蓋に追従する。これにより、鍵盤蓋は、前蓋が鍵盤部の後方における楽器ケース内に収納されると共に、この前蓋の下側に後蓋が重なった状態で収納される。
【発明の概要】
【発明が解決しようとする課題】
【０００７】
しかしながら、このような従来の鍵盤楽器の蓋開閉装置では、鍵盤蓋を開閉する際に、前蓋の移動に伴ってシャフトおよび後蓋が楽器ケース内を移動するため、楽器ケース内におけるシャフトおよび後蓋の移動範囲がデッドスペースとなり、スピーカなどの他の部品を十分に実装することができないという問題がある。
【０００８】
この発明が解決しようとする課題は、楽器ケース内の空間を広く利用して実装密度を高めることができる鍵盤楽器の蓋開閉装置を提供することである。
【課題を解決するための手段】
【０００９】
この発明は、上記課題を解決するために、次のような構成要素を備えている。
請求項１に記載の発明は、鍵盤部が内部に設けられた楽器ケースと、この楽器ケースにスライド可能に設けられて前記鍵盤部を開閉自在に覆う鍵盤蓋と、この鍵盤蓋の前部をガイドする前側ガイド部と、前記鍵盤蓋の後部をガイドする後側ガイド部とを備えた鍵盤楽器の蓋開閉装置において、外周に噛合歯を有して前記楽器ケース内の後側上部に回転自在に設けられた回転支持体と、この回転支持体の前記噛合歯に噛み合う噛合歯を有して前記鍵盤蓋の後部に設けられ、前記鍵盤蓋のスライド動作に連動して前記回転支持体の前記噛合歯にこれと噛み合う前記噛合歯が噛み合って移動する屈曲自在のガイド移動体と、後端部に前記回転支持体を配置する配置部が設けられ、前記回転支持体を回転させながら、前記鍵盤蓋の後方への移動に伴って前記ガイド移動体を後方に移動させるように前記ガイド移動体をガイドする水平ガイド部と、前記配置部に設けられ、前記ガイド移動体の後端部を前記回転支持体の外周に沿って屈曲させるための屈曲ガイド部と、前記配置部から前記楽器ケースの底部に亘って連続的に設けられ、前記屈曲ガイド部によって屈曲させた前記ガイド移動体を下側に移動させるようにガイドする垂直ガイド部と、を備えていることを特徴とする鍵盤楽器の蓋開閉装置である。
【００１１】
請求項２に記載の発明は、前記回転支持体は、前記楽器ケース内の後側上部に設けられたシャフトに回転自在に取り付けられたピニオンギアであり、前記ガイド移動体は、前記ピニオンギアに噛み合って移動する屈曲可能なラックギアであることを特徴とする請求項１に記載の鍵盤楽器の蓋開閉装置である。
【発明の効果】
【００１２】
この発明によれば、鍵盤蓋をスライドさせて開閉する際に、鍵盤蓋のスライド動作に伴って屈曲可能なガイド移動体がガイド規制部で撓むことなくガイドされながら移動すると、回転支持体が楽器ケース内を移動することがなく、回転支持体がガイド移動体に噛み合って回転し、鍵盤蓋を円滑に且つ良好に開閉させることができる。このため、回転支持体を回転自在に支持するシャフトを楽器ケース内に設けても、シャフトが楽器ケース内を移動しないため、楽器ケース内の空間を広く利用することができ、スピーカなどの他の部品を組み込むことができるので、楽器ケース内を有効に利用して楽器ケース内の実装密度を高めることができる。
【図面の簡単な説明】
【００１３】
【図１】この発明を適用した鍵盤楽器の実施形態１を示した断面図である。
【図２】図１の鍵盤楽器において鍵盤蓋を開いた状態を示した断面図である。
【図３】図１の鍵盤楽器における鍵盤蓋およびラックギアを示した平面図である。
【図４】図３のＡ−Ａ矢視における断面図である。
【図５】図１の鍵盤楽器のＢ−Ｂ矢視における拡大断面図である。
【図６】図１の鍵盤楽器におけるピニオンギアとラックギアとの噛み合い状態を示した要部の拡大断面図である。
【図７】図６のＣ−Ｃ矢視における拡大断面図である。
【図８】この発明を適用した鍵盤楽器の実施形態２を示した断面図である。
【図９】図８の鍵盤楽器において鍵盤蓋を開いた状態を示した断面図である。
【図１０】図８の鍵盤楽器のＤ−Ｄ矢視における拡大断面図である。
【図１１】図８の鍵盤楽器におけるピニオンギアとラックギアとの噛み合い状態を示した要部の拡大断面図である。
【図１２】図１１のＥ−Ｅ矢視における拡大断面図である。
【発明を実施するための形態】
【００１４】
（実施形態１）
以下、図１〜図７を参照して、この発明を鍵盤楽器に適用した実施形態１について説明する。
この鍵盤楽器は、図１および図２に示すように、楽器ケース１を備えている。
【００１５】
この楽器ケース１は、複数のゴム足２ａを有する底板２と、この底板２の前端部（図１では左端部）に起立して設けられた前板３と、底板２の後端部（図１では右端部）に起立して設けられた後板４と、底板２の両端部（図１では紙面の表裏側の端部）に起立して設けられた一対の側板５と、この一対の側板５の前後方向（図１では左右方向）における中間部よりも後側に位置する後部と後板４との上部に設けられた天板６とを備えている。これにより、楽器ケース１は、天板６の前側が上方に開放されたほぼ箱形状に形成されている。
【００１６】
この楽器ケース１内には、図１および図２に示すように、鍵盤部７および第１、第２の各スピーカ８、９が設けられている。鍵盤部７は、楽器ケース１内の底板２における前部側（図１では左側）に配置された鍵盤シャーシ１０と、この鍵盤シャーシ１０上に配列された複数の鍵１１とを備えている。この場合、複数の鍵１１は、複数の白鍵と複数の黒鍵とからなり、これらが鍵盤シャーシ１０上に上下方向に回転可能に取り付けられている。
【００１７】
また、第１スピーカ８は、低音用のスピーカであり、図１および図２に示すように、楽器ケース１内の底板２上における後部側（図１では右側）、つまり鍵盤部７の後方に位置する底板２上に配置されている。第２スピーカ９は、高音用のスピーカ（ツイータ）であり、鍵盤部７の後部上方に位置する箇所に配置されている。なお、第２スピーカ９の前側に位置する鍵盤部７の後部上側は、コンソール部１２が設けられている。
【００１８】
さらに、この楽器ケース１には、図１および図２に示すように、鍵盤部７の上側を開閉可能に覆う鍵盤蓋１３がスライド可能に設けられている。この鍵盤蓋１３の蓋開閉装置１４は、鍵盤蓋１３の前部をガイドする前側ガイド部１５と、鍵盤蓋１３の後部をガイドする後側ガイド部１６と、楽器ケース１内の後側上部に設けられたシャフト１７と、このシャフト１７に回転自在に設けられた回転支持体であるピニオンギア１８と、鍵盤蓋１３の後部に設けられてピニオンギア１８に噛み合って移動する屈曲自在のガイド移動体であるラックギア１９と、このラックギア１９の撓みを規制しながらガイドするガイド規制部２０とを備えている。
【００１９】
前側ガイド部１５は、図１および図２に示すように、鍵盤蓋１３の前端部に設けられた取手部２１と、この取手部２１の両側に設けられた一対の前側支持ピン２２と、楽器ケース１の一対の側板５における各内面に設けられて一対の前支持ピン２２をそれぞれガイドする一対の前側ガイド溝２３とを備えている。この一対の前側ガイド溝２３は、鍵盤部７の前端部から斜め上方に向けて円弧状に緩やかに湾曲して鍵盤部７の後部上方、つまり天板６の前端部の下側に位置する箇所に亘って設けられている。
【００２０】
後側ガイド部１６は、図１〜図５に示すように、鍵盤蓋１３の後端部における両側に設けられた一対の後側支持ピン２４と、楽器ケース１の一対の側板５における各内面に設けられて一対の後側支持ピン２４をそれぞれガイドする一対の後側ガイド溝２５とを備えている。この一対の後側ガイド溝２５は、図１および図２に示すように、鍵盤部７の後部上方から斜め下方に向けて緩やかに傾斜して楽器ケース１の側板５の後端部に亘って設けられている。
【００２１】
シャフト１７は、図１および図７に示すように、楽器ケース１内における後側上部に位置する箇所、つまり後側ガイド溝２５の後端部の下側に位置する箇所における一対の側板５間に架け渡されている。ピニオンギア１８は、図１、図２、図６、および図７に示すように、シャフト１７の両側にそれぞれ軸受２６を介して回転自在に取り付けられている。このピニオンギア１８は、ポリアセタール樹脂（ＰＯＭ）などの合成樹脂からなり、その外周に噛合歯１８ａが形成されている。
【００２２】
ラックギア１９は、図１〜図４に示すように、ポリアミド樹脂（ＰＡ）などの合成樹脂からなり、全体が帯状に形成され、任意の位置で自由に屈曲するように構成されている。このラックギア１９は、図３に示すように、その一端部（図３では左端部）が鍵盤蓋１３の後端部における両側にそれぞれ側方に突出した状態で取り付けられ、鍵盤蓋１３の後方に向けて長く延出されている。
【００２３】
また、このラックギア１９は、図６および図７に示すように、その下面にピニオンギア１８の噛合歯１８ａに噛み合う噛合歯１９ａが連続して形成されている。これにより、ラックギア１９は、その噛合歯１８ａの一部がピニオンギア１８の噛合歯１８ａに噛み合いながら、鍵盤蓋１３のスライド動作に連動して移動するように構成されている。
【００２４】
ガイド規制部２０は、図５〜図７に示すように、屈曲可能なラックギア１９を上下方向に挟んでガイドする水平ガイド溝２７と、この水平ガイド溝２７の後端部に設けられてピニオンギア１８を配置するギア配置凹部２８と、このギア配置凹部２８から下側に垂下されてラックギア１９をガイドする垂直ガイド溝２９とを備えている。水平ガイド溝２７は、図１、図２、および図５に示すように、ラックギア１９が前後方向に移動可能に挿入する溝であり、楽器ケース１の一対の側板５の各内面に後側ガイド溝２５に沿って設けられている。
【００２５】
すなわち、この水平ガイド溝２７は、後側ガイド溝２５と同様、鍵盤部７の後部上方から斜め下方に向けて緩やかに傾斜して楽器ケース１の側板５の後端部、つまりピニオンギア１８に対応する位置に亘って設けられている。これにより、水平ガイド溝２７は、その間にラックギア１９を上下方向に撓むことなく挟んだ状態で、ラックギア１９が楽器ケース１の前後方向に移動するように構成されている。ギア配置凹部２８は、楽器ケース１の側板５の後端部に水平ガイド溝２７と連続してほぼ円形状に設けられている。垂直ガイド溝２９は、楽器ケース１の側板５の後端部にギア配置凹部２８から底板２上に亘って連続して設けられている。
【００２６】
この場合、ガイド規制部２０のギア配置凹部２８には、図６に示すように、ラックギア１９をピニオンギア１８の外周に沿って屈曲させるための屈曲ガイド部３０が設けられている。この屈曲ガイド部３０は、ギア配置凹部２８の上辺部をピニオンギア１８の外周に沿って円弧状に湾曲させたものである。この屈曲ガイド部３０は、ラックギア１９の噛合歯１９ａをピニオンギア１８の噛合歯１８ａに噛み合わせた状態で、ラックギア１９の上面をピニオンギア１８の外周面に向けて押し付けることにより、ラックギア１９をピニオンギア１８の外周に沿って屈曲させるように構成されている。
【００２７】
次に、この鍵盤楽器の蓋開閉装置１４の作用について説明する。
まず、鍵盤蓋１３を閉じた状態から開く際には、図１に示すように、鍵盤蓋１３の前端部に設けられた取手部２１を持ち上げながら、鍵盤蓋１３を後方に向けて移動させる。すると、鍵盤蓋１３の前部が前側ガイド部１５にガイドされると共に、鍵盤蓋１３の前部が後側ガイド部１６にガイドされる。
【００２８】
すなわち、取手部２１を持ち上げながら、鍵盤蓋１３を後方に向けて移動させると、取手部２１の両側に設けられた一対の前側支持ピン２２が一対の側板５の各前側ガイド溝２３に沿ってそれぞれガイドされると共に、鍵盤蓋１３の後端部における両側に設けられた一対の後側支持ピン２４が一対の側板５の各後側ガイド溝２５に沿ってそれぞれガイドされる。
【００２９】
このときには、鍵盤蓋１３の後端部における両側に設けられた一対のラックギア１９の噛合歯１９ａがシャフト１７の両側に設けられた一対のピニオンギア１８の噛合歯１８ａに噛み合っているので、一対のラックギア１９が鍵盤蓋１３の移動と共にピニオンギア１８を回転させながら楽器ケース１の後方に向けて移動する。すなわち、ラックギア１９は、ガイド規制部２０の水平ガイド溝２７によって上下に挟まれているので、屈曲可能なラックギア１９が撓むことなく、ピニオンギア１８を回転させながら楽器ケース１の後方に向けて移動する。
【００３０】
また、このときには、ガイド規制部２０の水平ガイド溝２７に連続するギア配置凹部２８の屈曲ガイド部３０が、ラックギア１９の噛合歯１９ａをピニオンギア１８の噛合歯１８ａに噛み合わせた状態で、ラックギア１９の上面をピニオンギア１８の外周面に向けて押し付けると共に、ラックギア１９をピニオンギア１８の外周に沿って屈曲させる。これにより、ラックギア１９は、その後端部側が鍵盤蓋１３の移動に伴って楽器ケース１の側板５に設けられた垂直ガイド溝２９に沿って下側に移動する。
【００３１】
そして、鍵盤蓋１３が後方に向けて移動し、一対の前側支持ピン２２が一対の前側ガイド溝２３の各後端部に当接すると共に、鍵盤蓋１３の一対の後側支持ピン２４が一対の後側ガイド溝２５の各後端部に当接すると、鍵盤蓋１３が楽器ケース１内における天板６の下側に収納され、鍵盤部７が上方に露出する。この状態では、鍵盤蓋１３の後端部が一対のピニオンギア１８の上側に位置するので、一対のラックギア１９はそのほぼ全体が楽器ケース１の側板５に設けられた垂直ガイド溝２９に沿って垂下される。なお、鍵盤蓋１３を閉じる場合には、上述した動作の逆の動作を行う。
【００３２】
このように、この鍵盤楽器の蓋開閉装置１４によれば、外周に噛合歯１８ａを有するピニオンギア１８を楽器ケース１内の後側上部に回転自在に設け、鍵盤蓋１３の後部に設けられた屈曲自在のラックギア１９をピニオンギア１８に噛み合わせて鍵盤蓋１３のスライド動作に連動して移動するように構成したので、ピニオンギア１８を回転自在に支持するシャフト１７を楽器ケース１内に設けても、シャフト１７が鍵盤蓋１３のスライド動作に連動して移動することがないため、楽器ケース内の空間を広く利用することができる。
【００３３】
すなわち、この鍵盤楽器の蓋開閉装置１４では、鍵盤蓋１３をスライドさせて開閉する際に、鍵盤蓋１３のスライド動作に伴って屈曲可能なラックギア１９がガイド規制部２０の水平ガイド溝２７によって撓むことなくガイドされながら移動すると、ピニオンギア１８が楽器ケース１内を移動することがなく、ピニオンギア１８がラックギア１９に噛み合って所定位置で回転することにより、鍵盤蓋１３を円滑に且つ良好に開閉させることができる。
【００３４】
このため、ピニオンギア１８を支持するシャフト１７が鍵盤蓋１３のスライド動作に伴って楽器ケース１内を移動することがないので、楽器ケース１内の空間を広く利用することができる。すなわち、第１、第２の各スピーカ８、９のうち、特に高音用の第２スピーカ９を鍵盤部７の後部上方、つまり天板６の前部の下側に設けることにより、鍵盤部７の後部上側から鍵盤部７の前側上方に向けて放音することができる。これにより、第１スピーカ８以外に第２スピーカ９などの他の部品を楽器ケース１内に良好に組み込むことができるので、楽器ケース１内を有効に利用して楽器ケース１内の実装密度を高めることができる。
【００３５】
また、この鍵盤楽器の蓋開閉装置１４によれば、ガイド規制部２０のギア配置凹部２８に、ラックギア１９をピニオンギア１８の外周に沿って屈曲させるための屈曲ガイド部３０が設けられているので、鍵盤蓋１３をスライドさせて開閉する際に、ラックギア１９の噛合歯１９ａの一部をピニオンギア１８の噛合歯１８ａに順次、確実に噛み合わせることができる。これにより、鍵盤蓋１３のスライド動作に伴ってラックギア１９を確実に移動させることができる共に、鍵盤蓋１３を開く際にラックギア１９を円滑に屈曲させて楽器ケース１の側板５の垂直ガイド溝２９に沿って良好に垂下させることができる。
【００３６】
（実施形態２）
次に、図８〜図１２を参照して、この発明を鍵盤楽器に適用した実施形態２について説明する。なお、図１〜図７に示しされた実施形態１と同一部分には同一符号を付して説明する。
この鍵盤楽器の蓋開閉装置３５は、図８および図９に示すように、前側ガイド部３６、後側ガイド部３７、およびガイド規制部３８が実施形態１と異なる構成であり、これ以外は実施形態１とほぼ同じ構成になっている。
【００３７】
すなわち、前側ガイド部３６は、図８および図９に示すように、鍵盤蓋１３の前端部に設けられた取手部２１と、この取手部２１の両側に設けられた一対の前側支持ピン２２と、楽器ケース１の一対の側板５における各内面に設けられて一対の前支持ピン２２をそれぞれガイドする一対の前側ガイドレール４０とを備えている。この一対の前側ガイドレール４０は、断面がコ字形状に形成され、鍵盤部７の前側から斜め上方に向けて円弧状に緩やかに湾曲して鍵盤部７の後部上方、つまり天板６の前端部の下側に位置する箇所に亘って設けられている。
【００３８】
後側ガイド部３７は、図８〜図１２に示すように、鍵盤蓋１３の後端部における両側に設けられた一対の後側支持ピン２４と、楽器ケース１の一対の側板５における各内面に設けられて一対の後側支持ピン２４をそれぞれガイドする一対の共通ガイドレール４１とを備えている。この共通ガイドレール４１には、図１０に示すように、後側支持ピン２４をガイドするピンガイド溝４２が設けられている。また、この共通ガイドレール４１は、図８および図９に示すように、鍵盤部７の後部上方から斜め下方に向けて緩やかに傾斜して楽器ケース１の側板５の後端部に亘って設けられている。
【００３９】
ガイド規制部３８は、図８〜図１２に示すように、屈曲可能なラックギア１９を上下方向に挟んでガイドするガイドレールであり、後側ガイド部３７の共通ガイドレール４１と兼用されている。このガイド規制部２０は、ラックギア１９を移動可能に挟むラックガイド溝４３と、ラックギア１９をピニオンギア１８の外周に沿って屈曲させるための屈曲ガイド部４４とを備えている。
【００４０】
ラックガイド溝４３は、ピンガイド溝４２に沿って共通ガイドレール４１に設けられている。すなわち、このラックガイド溝４３は、後側ガイド溝２５と同様、鍵盤部７の後部上方から斜め下方に向けて緩やかに傾斜して楽器ケース１の側板５の後端部、つまりピニオンギア１８に接近する位置に亘って設けられている。また、このラックガイド溝４３は、その間にラックギア１９を上下方向に撓むことなく挟んだ状態で、ラックギア１９が楽器ケース１の前後方向に移動するように構成されている。
【００４１】
屈曲ガイド部４４は、共通ガイドレール４１の後端下部をピニオンギア１８の外周に沿って円弧状に湾曲させた部分である。この屈曲ガイド部４４は、実施形態１の屈曲ガイド部３０と同様、ラックギア１９の噛合歯１９ａをピニオンギア１８の噛合歯１８ａに噛み合わせた状態で、ラックギア１９の上面をピニオンギア１８の外周面に向けて押し付けることにより、ラックギア１９をピニオンギア１８の外周に沿って屈曲させるように構成されている。
【００４２】
このような鍵盤楽器の蓋開閉装置３５においても、実施形態１と同様の作用効果がある。すなわち、外周に噛合歯１８ａを有するピニオンギア１８を楽器ケース１内の後側上部に回転自在に設け、鍵盤蓋１３の後部に設けられた屈曲自在のラックギア１９をピニオンギア１８に噛み合わせて鍵盤蓋１３のスライド動作に連動して移動するように構成したので、ピニオンギア１８を回転自在に支持するシャフト１７を楽器ケース１内に設けても、シャフト１７が鍵盤蓋１３のスライド動作に連動して移動することがないため、楽器ケース内の空間を広く利用することができる。
【００４３】
すなわち、この鍵盤楽器の蓋開閉装置３５では、鍵盤蓋１３をスライドさせて開閉する際に、鍵盤蓋１３のスライド動作に伴って屈曲可能なラックギア１９がガイド規制部３８のラックガイド溝４３によって撓むことなくガイドされながら移動すると、ピニオンギア１８が楽器ケース１内を移動することがなく、ピニオンギア１８がラックギア１９に噛み合って所定位置で回転することにより、鍵盤蓋１３を円滑に且つ良好に開閉させることができる。
【００４４】
このため、ピニオンギア１８を支持するシャフト１７が鍵盤蓋１３のスライド動作に伴って楽器ケース１内を移動することがないので、楽器ケース１内の空間を広く利用することができる。すなわち、第１、第２の各スピーカ８、９のうち、特に高音用の第２スピーカ９を鍵盤部７の後部上方、つまり天板６の前部の下側に設けることにより、鍵盤部７の後部上側から鍵盤部７の前側上方に向けて放音することができる。これにより、第１スピーカ８以外に第２スピーカ９などの他の部品を楽器ケース１内に良好に組み込むことができるので、楽器ケース１内を有効に利用して楽器ケース１内の実装密度を高めることができる。
【００４５】
また、この鍵盤楽器の蓋開閉装置３５によれば、ガイド規制部３８の共通ガイドレール４１に、ラックギア１９をピニオンギア１８の外周に沿って屈曲させるための屈曲ガイド部４４が設けられているので、鍵盤蓋１３をスライドさせて開閉する際に、ラックギア１９の噛合歯１９ａの一部をピニオンギア１８の噛合歯１８ａに順次、確実に噛み合わせることができる。これにより、鍵盤蓋１３のスライド動作に伴ってラックギア１９を確実に移動させることができる共に、鍵盤蓋１３を開く際にラックギア１９を円滑に屈曲させて楽器ケース１の後板４および側板５に沿って良好に垂下させることができる。
【００４６】
なお、上述した実施形態１、２では、回転移動体としてピニオンギア１８を用い、ガイド移動体としてラックギア１９を用いた場合について述べたが、これに限らず、回転移動体としてスプロケットを用い、ガイド移動体としてチェーンを用いても良い。このような構成でも、上述した実施形態１、２と同様の作用効果がある。
【符号の説明】
【００４７】
１  楽器ケース
７  鍵盤部
８、９  第１、第２の各スピーカ
１３  鍵盤蓋
１４、３５  蓋開閉装置
１５、３６  前側ガイド部
１６、３７  後側ガイド部
１７  シャフト
１８  ピニオンギア
１８ａ  ピニオンギアの噛合歯
１９  ラックギア
１９ａ  ラックギアの噛合歯
２０、３８  ガイド規制部
２２  前側支持ピン
２３、４０  前側ガイド溝
２４  後側支持ピン
２５、４２  後側ガイド溝
２７  水平ガイド溝
２８  ギア配置凹部
２９  垂直ガイド溝
３０、４４  屈曲ガイド部
４１  共通ガイドレール
４３  ラックガイド溝
【図１】
0005553194.tif 000002
【図２】
0005553194.tif 000003
【図３】
0005553194.tif 000004
【図４】
0005553194.tif 000005
【図５】
0005553194.tif 000006
【図６】
0005553194.tif 000007
【図７】
0005553194.tif 000008
【図８】
0005553194.tif 000009
【図９】
0005553194.tif 000010
【図１０】
0005553194.tif 000011
【図１１】
0005553194.tif 000012
【図１２】
0005553194.tif 000013